(57)【要約】【課題】トルク特性を維持しつつ重量の低減が可能な永久磁石型の回転電機を提供する。【解決手段】実施形態によれば、回転電機は、回転子を備えている。回転子は、中心軸線の回りで回転自在に設けられた回転シャフトと、複数枚の鉄心片板を積層して構成され回転シャフトに同軸的に取り付けられた回転子鉄心４２と、それぞれ回転子鉄心を軸方向に貫通して形成され回転子鉄心の軸方向の一端面および軸方向の他端面に開口した複数の空隙孔４４ａ、４４ｂと、空隙孔内に配置され回転子鉄心の軸方向に延在する複数の永久磁石５０と、回転子鉄心の一端面および他端面に重ねて配置され、それぞれ空隙孔の少なくとも一部に連通する複数の通風孔６２ａ、６２ｂが設けられた一対の端板６０と、を具備している。【選択図】図４
2020141466.tif 000002
【特許請求の範囲】
【請求項１】
中心軸線の回りで回転自在に設けられた回転シャフトと、複数枚の鉄心片板を積層して構成され前記回転シャフトに同軸的に取り付けられた回転子鉄心と、それぞれ前記回転子鉄心を軸方向に貫通して形成され前記回転子鉄心の軸方向の一端面および軸方向の他端面に開口した複数の空隙孔と、前記空隙孔内に配置され前記回転子鉄心の軸方向に延在する複数の永久磁石と、前記回転子鉄心の一端面および他端面に重ねて配置され、それぞれ前記空隙孔の少なくとも一部に連通する複数の通風孔が設けられた一対の端板と、を具備する回転子を備える回転電機。
【請求項２】
前記空隙孔の各々は、前記永久磁石が配置された磁石装填領域と、それぞれ前記永久磁石に接する第１空隙および第２空隙と、を有し、
前記端板は、前記第１空隙に連通する第１通風孔と前記第２空隙に連通する第２通風孔とを有している請求項１に記載の回転電機。
【請求項３】
前記回転子を収納しているとともに軸受を介して前記回転シャフトを支持したケースと、
前記回転子鉄心の外周に隙間を置いて配置され前記ケースに固定された環状の固定子鉄心と、前記固定子鉄心に巻回された電機子巻線と、を有する固定子と、
前記ケース内に設けられ前記中心軸線の回りで前記回転シャフトと一体に回転可能な冷却ファンと、を備え、
前記冷却ファンは、前記端板の通風孔に対向する吸気口を有している請求項１又は２に記載の回転電機。
【請求項４】
前記冷却ファンは、それぞれ前記吸気口から排気口に向かって延在する複数枚の羽根を有し、前記複数枚の羽根は、前記回転シャフトの円周方向に互いに等間隔を置いて配置され、前記羽根の枚数は、前記回転子鉄心の磁極数、あるいは、前記磁極数の整数倍に一致している請求項３に記載の回転電機。
【請求項５】
前記冷却ファンの吸気口の外径は、前記回転子鉄心に設けられた前記空隙孔の最外径よりも大きい請求項３に記載の回転電機。
【請求項６】
前記端板に当接し、前記回転子鉄心を軸方向両側から押える一対の鉄心押えを更に備え、前記鉄心押えは、それぞれ前記端板の通風孔に連通する複数の透孔を有している請求項１から５のいずれか１項に記載の回転電機。
【請求項７】
前記回転子鉄心は、それぞれ前記回転子鉄心を軸方向に貫通して形成され前記永久磁石の近傍に位置する複数の第２空隙孔を有し、前記端板は、それぞれ前記第２空隙孔に連通する複数の第３通風孔を有している請求項１から６のいずれか１項に記載の回転電機。
【発明の詳細な説明】
【技術分野】
【０００１】
この発明の実施形態は、回転子に永久磁石が設けられた回転電機に関する。
【背景技術】
【０００２】
近年、永久磁石の目覚しい研究開発により、高磁気エネルギー積の永久磁石が開発され、このような永久磁石を用いた永久磁石型の回転電機が電車や自動車の電動機あるいは発電機として適用されつつある。一般的にはＰＭＳＭ（Permanent Magnet Synchronous Motor）が主流で、永久磁石を回転子鉄心内に埋め込んだＩＰＭ（Interior Permanent Magnet Motor）形式が多い。機内の構成に永久磁石を使用していることから、回転電機は塵埃が侵入しないように密閉構造がとられる。しかし、容量の大きい回転電機、例えば、鉄道用の主電動機などの場合では、コイルや鉄心からの発熱により、機内の温度が高くなり易い。主電動機の機内は、回転子の回転により駆動側や反駆動側の空間に撹拌流れが発生し、コイル周りなどを冷却している。
【０００３】
回転電機の各構成部材は許容温度が定められている。中でも、永久磁石は、機内の他の機器よりも許容温度の上限が低く、許容温度を超えると性能が低下してしまう。そのため、永久磁石は、許容温度以内で使用する必要がある。しかし、永久磁石自体は回転子鉄心内に埋め込まれているため、前述の撹拌流れによる冷却が永久磁石には寄与せず、永久磁石の冷却が難しい。そこで、回転子の温度を下げるために、機内にファンを設け、回転子に設けられたロータダクトを使った循環流れによる冷却方式がとられている。
【先行技術文献】
【特許文献】
【０００４】
【特許文献１】特開２０１４−７５８８２号公報
【特許文献２】特開２０１０−８０７９９号公報
【発明の概要】
【発明が解決しようとする課題】
【０００５】
回転子の主要な損失発生箇所は、回転子の外表面付近であるが、回転子の外表面と固定子との間のギャップは狭く、通風量を増やしにくい。また、回転子のロータダクトは永久磁石から離間しているため、永久磁石に対して十分な冷却性能を発揮できない。そのため、回転電機の大容量化、小型化の際には冷却性能が不足することが考えられる。
そこで、この発明の実施形態の課題は、回転子の永久磁石を効率的に冷却可能な回転電機を提供することにある。
【課題を解決するための手段】
【０００６】
実施形態によれば、回転電機は回転子を備え、前記回転子は、中心軸線の回りで回転自在に設けられた回転シャフトと、複数枚の鉄心片板を積層して構成され前記回転シャフトに同軸的に取り付けられた回転子鉄心と、それぞれ前記回転子鉄心を軸方向に貫通して形成され前記回転子鉄心の軸方向の一端面および軸方向の他端面に開口した複数の空隙孔と、前記空隙孔内に配置され前記回転子鉄心の軸方向に延在する複数の永久磁石と、前記回転子鉄心の一端面および他端面に重ねて配置され、それぞれ前記空隙孔の少なくとも一部に連通する複数の通風孔が設けられた一対の端板と、を具備している。
【図面の簡単な説明】
【０００７】
【図１】図１は、第１の実施形態に係る永久磁石型の回転電機を示す縦断面図。
【図２】図２は、前記回転電機の横断面図。
【図３】図３は、前記回転電機の回転子を示す斜視図。
【図４】図４は、前記回転子の鉄心と端板を分解して示す分解斜視図。
【図５】図５は、前記回転電機の内扇ファンを示す斜視図。
【図６】図６は、前記回転子鉄心の磁石配設位置と内扇ファンの羽根の位置との関係を概略的に示す断面図。
【図７】図７は、第２の実施形態に係る回転電機における回転子鉄心の磁石配設位置と内扇ファンの羽根の位置との関係を概略的に示す断面図。
【図８】図８は、第３の実施形態に係る回転電機における回転子鉄心の磁石配設位置と内扇ファンの羽根の位置との関係を概略的に示す断面図。
【図９】図９は、第４の実施形態に係る回転電機の回転子鉄心と端板とを示す分解斜視図。
【発明を実施するための形態】
【０００８】
以下に、図面を参照しながら、種々の実施形態について説明する。なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【０００９】
（第１の実施形態）  
図１は、第１の実施形態に係る永久磁石型の回転電機の片側半分を示す縦断面図、図２は、前記回転電機の横断面図である。  
図１に示すように、回転電機１０は、例えば、インナーロータ型の回転電機として構成されている。回転電機１０は、ほぼ円筒状のフレームとフレームの両端を閉塞するブラケットとを一体に有したケース１２と、ケース１２をほぼ同軸的に貫通して設けられた回転シャフト１４とを備えている。回転シャフト１４の両端部は、それぞれ軸受１６ａ、１６ｂを介してケース１２に回転自在に支持されている。回転シャフト１４は、回転電機１０の中心軸線Ｃの回りで回転自在に支持されている。回転シャフト１４の軸方向両端は、それぞれケース１２から外方に突出している。回転シャフト１４の一方の端部は、駆動側端部１４ａを構成している。
【００１０】
回転電機１０は、ケース１２に支持された環状あるいは円筒状の固定子２０と、固定子の内側に中心軸線Ｃの回りで回転自在に、かつ固定子２０と同軸的に支持された回転子４０と、を備えている。  
図１および図２に示すように、固定子２０は、円筒状の固定子鉄心２２と固定子鉄心２２に巻き付けられた電機子巻線２３とを備えている。固定子鉄心２２は、磁性材、例えば、ケイ素鋼などの円環状の電磁鋼板（鉄心片板）を多数枚、同芯状に積層して構成されている。固定子鉄心２２はケース１２に固定され、中心軸線Ｃと同軸的に位置している。固定子鉄心２２の内周部には、複数のスロット２４が形成されている。複数のスロット２４は、円周方向に等間隔を置いて並んでいる。複数のスロット２４を形成することにより、固定子鉄心２２の内周部は、回転子４０に面する多数の固定子ティース２６を構成している。複数のスロット２４に電機子巻線２３が埋め込まれ、固定子ティース２６に巻き付けられている。電機子巻線２３のコイルエンド２３ａ、２３ｂは、固定子鉄心２２の積層方向（軸方向）の両端面から軸方向に張り出している。
【００１１】
回転子４０は、上述した回転シャフト１４と、回転シャフト１４の軸方向ほぼ中央部に固定された円筒形状の回転子鉄心４２と、回転子鉄心４２内に埋め込まれた複数の永久磁石５０と、を有している。回転子４０は、固定子２０の内側に僅かな隙間を置いて同軸的に配置されている。すなわち、回転子鉄心４２の外周面は、僅かな隙間（エアギャップ）をおいて、固定子鉄心２２の内周面に対向している。回転子鉄心４２は中心軸線Ｃと同軸的に形成された内孔４５を有している。回転シャフト１４は内孔４５に挿通および嵌合され、回転子鉄心４２と同軸的に延在している。  
回転子４０は、更に、回転子鉄心４２の軸方向両端面に重ねて設けられた一対の端板６０を有している。端板６０については、後述する。回転子鉄心４２は、回転シャフト１４に固定された一対の鉄心押さえ４６により軸方向両端面から挟まれ、所定位置に保持されている。回転子鉄心４２および鉄心押さえ４６には、両者を軸方向に貫通する通風ダクト４７が複数個形成されている。複数の通風ダクト４７は、中心軸線Ｃの回りで、円周方向に一定の間隔を置いて設けられている。
【００１２】
本実施形態において、回転電機１０は、回転シャフト１４に固定された内扇ファン（第１冷却ファン）７０および外扇ファン(第２冷却ファン)７２を備えている。内扇ファン７０は、ケース１２の内部で、回転子鉄心４２に対して、反駆動側に配置されている。ここでは、内扇ファン７０は、反駆動側の鉄心押え４６に固定されている。外扇ファン７２は、ケース１２の外側で、回転シャフト１４の反駆動側端に取付けられている。
回転電機１０は、ケース１２の反駆動側の端面および外扇ファン７２を覆う外カバー７４と、外カバー７４からケース１２の外周面に沿って、軸方向に延出した複数の通風ダクト７６と、を一体に有している。外カバー７４の中央部に複数の吸気口７７が形成されている。複数の通風ダクト７６は、ケース１２の外周面において、外カバー７４から固定子鉄心２２の駆動側の端を越える位置まで軸方向に延在している。通風ダクト７６の延出端は開口し、排気口７６ｂを形成している。
外扇ファン７２は、回転シャフト１４と一体に回転する。外扇ファン７２が回転することにより、吸気口７７から外カバー７４内に外気が吸気され、吸気された外気は、外扇ファン７２により円周方向外方に送られ、通風ダクト７６に流入する。更に、外気は、通風ダクト７６内を流れた後、排気口７６ｂから外部に排気される。
【００１３】
各通風ダクト７６内のほぼ中央部に、内気通風ダクト７８が設けられている。この内気通風ダクトは、ケース１２の外周面に沿って軸方向に延びている。内気通風ダクト７８の一端は、ケース１２に形成された図示しない第１通気口を介してケース１２の内部空間、すなわち、回転子鉄心４２の反駆動側に位置する内部空間に連通している。内気通風ダクト７８の他端は、ケース１２に形成された図示しない第２通気口を介してケース１２の内部空間、すなわち、回転子鉄心４２の駆動側に位置する内部空間に連通している。後述すように、内扇ファン７０が回転すると、ケース１２内の内気が内気通風ダクト７８を通してケース１２内に循環される。
【００１４】
図３は、回転電機の回転子を示す斜視図、図４は、回転子鉄心と端板とを分解して示す分解斜視図である。
図３および図４に示すように、回転子鉄心４２は、例えば、厚さ０．５ｍｍ程度の円盤状の電磁鋼板（鉄心片板）を多数枚、同芯状に積層した積層体で構成されている。回転子鉄心４２を押えるための端板６０は、回転子鉄心４２と同一径を有する厚さ２ｍｍ程度の円盤板を複数枚積層して構成されている。端板６０は、回転子鉄心４２の軸方向両端面に重ねて設けられている。
図２および図４に示すように、回転子鉄心４２には、複数の磁石埋め込み孔（空隙孔、フラックスバリア）４４が設けられている。各磁石埋め込み孔４４は、回転子鉄心４２を軸方向に貫通して形成され、回転子鉄心４２の軸方向の一端面および軸方向の他端面に開口している。本実施形態において、回転子鉄心４２は、６磁極を有し、各磁極に２つの磁石埋め込み孔４４が形成されている。
【００１５】
中心軸線Ｃおよび周方向の磁極中心を通って放射方向に延びる軸を磁極中心軸（ｄ軸）とした場合、各ｄ軸の周方向両側に磁石埋め込み孔（以下、埋め込み孔と称する場合がある）４４が設けられている。埋め込み孔４４は、ほぼ矩形の断面形状を有し、それぞれｄ軸に対して傾斜している。回転子鉄心４２の横断面において、２つの埋め込み孔４４は、例えば、ほぼＶ字状に並んで配置されている。すなわち、埋め込み孔４４の内周側の端はそれぞれｄ軸に隣接し、僅かな隙間をおいて互いに対向している。埋め込み孔４４の外周側の端は、回転子鉄心４２の円周方向にｄ軸から離間し、回転子鉄心４２の外周面の近傍に位置している。
【００１６】
各埋め込み孔４４に永久磁石５０が収納、配置されている。永久磁石５０は、矩形状の横断面形状を有している。永久磁石５０は、回転子鉄心４２の軸方向一端面から他端面まで延在している。回転子鉄心４２の横断面において、各磁極に設けられた２つの永久磁石５０は、それぞれｄ軸に対して傾斜している。各埋め込み孔４４は、永久磁石５０が配置された矩形状の磁石装填領域と、永久磁石５０の長手方向の両側に延出する内周側空隙（第１空隙）４４ａおよび外周側空隙（第２空隙）４４ｂと、を有している。永久磁石５０に接する内周側空隙４４ａおよび外周側空隙４４ｂは、それぞれ回転子鉄心４２の軸方向に延在し、回転子鉄心４２の軸方向両端面に開口している。
【００１７】
図３および図４に示すように、各端板６０には、回転子鉄心４２の内周側空隙４４ａおよび外周側空隙４４ｂ（フラックスバリア）と対応する位置に、内周側空隙４４ａおよび外周側空隙４４ｂと同一形状の通風孔６２ａ、６２ｂが形成されている。本実施形態では、端板６０は、全ての内周側空隙４４ａおよび全ての外周側空隙４４ｂに対応する複数の通風孔６２ａ、６２ｂを有している。端板６０は、回転子鉄心４２の端面に重ねて固定され、各通風孔６２ａ、６２ｂは内周側空隙４４ａおよび外周側空隙４４ｂに対向し、内周側空隙４４ａおよび外周側空隙４４ｂに連通している。これにより、通風孔６２ａ、６２ｂを通して、内周側空隙４４ａおよび外周側空隙４４ｂに通風可能となっている。
【００１８】
本実施形態において、各端板６０は、回転子鉄心４２の通風ダクト４７を塞いでいるが、通風バランスによっては、端板６０に通風ダクト４７に連通する通風孔を設ける構成としてもよい。また、端板６０に、全ての内周側空隙４４ａおよび外周側空隙４４ｂに対応する同形状の通風孔を設ける必要はなく、内周側空隙４４ａに連通する通風孔６２ａのみ、あるいは、外周側空隙４４ｂに連通する通風孔６２ｂのみを設ける構成としてもよい。
通風孔６２ａ、６２ｂは、内周側空隙４４ａおよび外周側空隙４４ｂと同一の形状である必要はなく、内周側空隙４４ａ又は外周側空隙４４ｂよりも大きな寸法の通風孔、あるいは、内周側空隙４４ａ又は外周側空隙４４ｂよりも小さい寸法の通風孔としてもよい。通風孔６２ａ、６２ｂは、内周側空隙４４ａ、外周側空隙４４ｂの全開口に連通していなくてもよく、内周側空隙４４ａ、外周側空隙４４ｂの少なくとも一部に連通していればよい。
【００１９】
図１に示したように、回転子鉄心４２の軸方向両端に鉄心押え４６が設けられ、それぞれ端板６０に当接している。鉄心押え４６の外形が端板６０の通風孔６２ａ、６２ｂと重なる位置まである場合には、鉄心押え４６にも内周側空隙４４ａ、外周側空隙４４ｂと同形状の鉄心押え孔６６ａ、６６ｂを設ける。通風させる内周側空隙４４ａ、外周側空隙４４ｂに鉄心押え４６の外形が重なっていない場合には、鉄心押え４６に通風孔を設ける必要はない。
【００２０】
図５は内扇ファンを示す斜視図、図６は、内扇ファンの羽根と回転子鉄心のフラックスバリアとの配置関係を概略的に示す側面図である。
図１および図５に示すように、内扇ファン７０は、遠心型のファンとして構成され、回転により半径方向に風を発生させる。内扇ファン７０は、扇形状の本体７０ａと、本体７０ａの外周面に隙間を置いて対向配置された環状の外周フレーム７０ｂと、本体７０ａと外周フレーム７０ｂとの間に設けられた複数枚の羽根８０と、を一体に有している。一例では、羽根８０は、６枚設けられ、中心軸線Ｃを中心とする円周方向に互いに等間隔を置いて配置されている。各羽根８０は、中心軸線Ｃに対し、径方向あるいは放射方向に延在している。
【００２１】
本体７０ａの外周端部と外周フレーム７０ｂの外周端部との間にファンの排気口８２が規定されている。排気口８２は、径方向外方に向いて開口している。排気口８２は、コイルエンド２３ｂの端部付近に位置し、かつ、内扇ファン７０からの風がコイルエンド２３ｂと衝突しにくい位置とするのがよい。
本体７０ａの外周面と外周フレーム７０ｂの内周端部との間にファンの吸気口８４が規定されている。鉄心押え４６が端板６０全体を覆っている場合、内扇ファン７０の吸気口８４は、鉄心押え４６に隣接する位置に配置される。鉄心押え４６の外径が小さく、端板６０が内扇ファン７０付近に露出している場合には、内扇ファン７０の吸気口８４は、端板６０に近接して配置される。近接させる距離は狭い方がよく、数ｍｍ〜１０ｍｍ程度が望ましい。吸気口８４の外径は、端板６０の通風孔６２ａ、６２ｂの位置や鉄心押え４６の通風孔の位置よりも大きく形成されている。すなわち、吸気口８４の外径は、回転子鉄心４２に設けられた空隙孔（フラックスバリア）の最外径よりも大きく形成されている。内扇ファン７０は、通風孔６２ａ、６２ｂや鉄心押えの通風孔と１つのダクトを形成するような形状および設置とすることが望ましい。
【００２２】
回転電機を鉄道用主電動機として用いる場合、内扇ファン７０は羽根８０が径方向に設置されたラジアルファンとして構成される。また、回転電機を回転方向が一方向に限られる発電機等として用いる場合、内扇ファン７０はターボファンなど効率のよい羽根形状を選択することができる。羽根８０の枚数は自由に選択できるが、磁石埋め込み孔（フラックスバリア）４４の周方向配置周期数、つまり、Ｖ字型に設けられた永久磁石５０の周方向パターン数（磁極数）、例えば、６磁極、と合わせるのがよい。図６に示すように、本実施形態では、内扇ファン７０は６枚の羽根８０を有し、これらの羽根８０は、磁極の円周方向配置と一致するように、円周方向に互いに等間隔離間して配置されている。各羽根８０は、各磁極の磁極中心軸（ｄ軸）と一致する位置に設けられている。
本実施形態において、内扇ファン７０は、ケース１２内の反駆動側の空間に設けられているが、これに限らず、ケース１２内の駆動側の空間に設けても良い、すなわち、回転シャフト１４の駆動側の端部に設置してもよい。また、内扇ファン７０は鉄心押え４６の端部に取付けられているが、これに限らず、取り付け部分は回転シャフト１４と一体的に回転する場所であれば任意に選択可能である。
【００２３】
以上のように構成された回転電機１０の動作、作用効果について説明する。  
回転電機１０の運転稼動時、回転子４０の回転や内扇ファン７０、図示しない回転体の突起形状などによって、ケース１２の駆動側の空間と反駆動側の空間との間で圧力差が発生する。その際、駆動側の空間と反駆動側の空間とを回転子鉄心４２のフラックスバリア（内周側空隙４４ａ、外周側空隙４４ｂ）内に風が流れ、ギャップ部などを通過してフレーム内部を循環する流れが発生する。この場合、フラックスバリア内を通過する風によって永久磁石５０が冷却される。通常、永久磁石中央部付近の温度が最も高くなり易いが、フラックスバリア通風構造によって、中央付近の永久磁石を直接冷却することができる。このような通風構造は、端板６０に通風孔６２ａ、６２ｂを設けるだけの簡易な変更で達成可能となる。
【００２４】
回転電機１０の運転稼働時には、回転子４０の回転シャフト１４と共に内扇ファン７０および外扇ファン７２が回転し、遠心力により、遠心方向に風が発生する。内扇ファン７０の吸気口８４側は負圧となり、近接して設置された鉄心押え４６の通風孔および端板６０の通風孔６２ａ、６２ｂから風を吸引する。これにより、回転子４０の内周側空隙４４ａおよび外周側空隙４４ｂを通して吸引された内気が内扇ファン７０により遠心方向に送風され、内気通風ダクト７８を通過して、ケース１２の駆動側空間へ流入する。その後、駆動側空間の内気は、端板６０の通風孔６２ａ、６２ｂ、鉄心押さえ４６の通風孔、回転子鉄心４２の内周側空隙４４ａ、外周側空隙４４ｂを主に通過して内扇ファン７０へ吸引される流れとなる。
【００２５】
一方、外扇ファン７２が回転することにより、吸気口７７から外気が外カバー７４内に吸気され、外扇ファン７２により遠心方向に送られる。外気は複数の通風ダクト７６を通過して排気口７６ｂから外部に放出される。このようにケース１２の外面に沿って外気を流通させることにより、ケース１２および回転電機１０全体を外気により冷却することができる。更に、前述した内気通風ダクト７８は、外気の通風ダクト７６に隣接して設けられていることから、内気通風ダクト７８を通る内気と通風ダクト７６を流れる外気との間で熱交換が行われ、すなわち、内気が冷却される。これにより、冷却された内気をケース１２内に送ることができる。
【００２６】
このように、内扇ファン７０によって回転電機１０内で空気を循環させることにより、回転子４０のフラックスバリア（内周側空隙４４ａ、外周側空隙４４ｂ）を高速で風が軸方向に流れる。風がフラックスバリアを通過する際に永久磁石５０表面での流速が増し、熱伝達率が向上する。そのため、フラックスバリアを通過する風あるいは内気により、永久磁石５０を直接的に効率良く冷却することが可能となる。従って、永久磁石５０の長手方向の中央部の温度上昇を抑制することができる。  
この際、内扇ファン７０の羽根８０の枚数と、フラックスバリアの周方向周期数とを合わせおくと、各フラックスバリアを通過する風量が一定となり、回転子の局部的な温度上昇（ローカルヒート）を抑制することができる。また、内扇ファン７０の吸気口８４の外径を端板６０の通風孔６２ａ、６２ｂの設置位置の外径よりも大きくすることで、フラックスバリアを通過する風量を増すことが可能となる。  
以上のことから、本実施形態によれば、回転子の永久磁石を効率的に冷却可能な回転電機が得られる。
【００２７】
次に、この発明の他の実施形態に係る回転電機について説明する。以下に述べる他の実施形態において、前述した第１の実施形態と同一の部分および同一の構成部材には、第１の実施形態と同一の参照符号を付してその省略あるいは簡略化し、第１の実施形態と異なる部分を中心に説明する。
（第２の実施形態）  
図７は、第２の実施形態に係る回転電機の内扇ファンの羽根と回転子鉄心のフラックスバリアとの配置関係を概略的に示す側面図である。  
内扇ファン７０の羽根８０の枚数は、６枚に限らず、磁石埋め込み孔（フラックスバリア）４４の周方向配置周期数、つまり、永久磁石５０の周方向パターン数（磁極数）、の整数倍に設定してもよい。図７に示すように、第２の実施形態によれば、磁極数の２倍である１２枚の羽根８０が設けられている。羽根８０は、それぞれ中心軸線Ｃに対して放射方向に延在しているとともに、中心軸線Ｃを中心とする円周方向に互いに等間隔を置いて配置されている。１２枚の内、６枚の羽根８０は、それぞれｄ軸と対向する位置に配置されている。
このように１２枚の羽根８０を有する内扇ファンを用いた場合でも、回転子鉄心４２の各フラックスバリアを通過する風量が一定となり、回転子４０の局部的な温度上昇（ローカルヒート）を抑制することができる。
【００２８】
（第３の実施形態）  
図８は、第３の実施形態に係る回転電機の内扇ファンの羽根と回転子鉄心のフラックスバリアとの配置関係を概略的に示す側面図である。  
図示のように、第３の実施形態によれば、内扇ファン７０は、磁極数の３倍である１８枚の羽根８０を有している。羽根８０は、それぞれ中心軸線Ｃに対して放射方向に延在しているとともに、中心軸線Ｃを中心とする円周方向に互いに等間隔を置いて配置されている。１８枚の内、６枚の羽根８０は、それぞれｄ軸と対向する位置に配置されている。  
このように１８枚の羽根８０を用いた場合でも、回転子鉄心４２の各フラックスバリアを通過する風量が一定となり、回転子４０の局部的な温度上昇（ローカルヒート）を抑制することができる。
【００２９】
（第４の実施形態）
前述した実施形態では、回転子鉄心のフラックスバリアは、永久磁石に接触する磁石埋め込み孔で構成されているが、フラックスバリアは、永久磁石に接触しない箇所に設けられてもよい。フラックスバリアは、例えば、回転子鉄心を通過する磁束の弱い個所や空間として設けた場合に回転電機の性能が向上する箇所に設けることが可能である。
図９は、第４の実施形態に係る回転電機の回転子鉄心および端板を示す分解斜視図である。本実施形態によれば、回転子鉄心４２は、磁石埋め込み孔４４からなるフラックスバリアに加えて、永久磁石５０とは接触しない箇所に設けられたフラックスバリアを有している。一例では、フラックスバリアは、回転子鉄心４２の各磁極において、一対の永久磁石５０の間でｄ軸上に形成された空隙孔８８を有している。空隙孔８８は、回転子鉄心４２を軸方向に貫通して延在し、回転子鉄心４２の軸方向の両端面に開口している。
【００３０】
各端板６０には、通風孔６２ａ、６２ｂに加えて、それぞれ空隙孔８８に対向する複数の通風孔６２ｃが設けられている。図示しない鉄心押えが端板６０を覆う場合は、鉄心押えにも、空隙孔８８に対向する通風孔を設ける。
このように構成された回転子鉄心４２および端板６０を有する回転電機によれば、運転稼動時、回転子鉄心４２のフラックスバリア（内周側空隙４４ａ、外周側空隙４４ｂ）に加えて、空隙孔８８に風が通風するようになり、回転子鉄心４２の温度上昇を低減することができる。従って、本実施形態によれば、回転子鉄心全体の温度を低減することで、永久磁石の温度をより低減することが可能となる。
【００３１】
なお、この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、回転子の磁極数、寸法、形状等は、前述した実施形態に限定されることなく、設計に応じて種々変更可能である。フラックスバリアを構成する磁石埋め込み孔の断面形状および空隙孔の断面形状は、上述した実施形態に限定されることなく、種々の形状を選択可能である。
【符号の説明】
【００３２】
１０…回転電機、１２…フレーム（ケース）、１４…回転シャフト、２０…固定子、  
２２…固定子鉄心、２３電機子巻線、４０…回転子、４２…回転子鉄心、  
４４…磁石埋め込み孔（フラックスバリア）、４４ａ…内周側空隙、４４ｂ…外周側空隙、５０…永久磁石、６０…端板、６２ａ、６２ｂ、６２ｃ…通風孔、７０…内扇ファン、７２…外扇ファン、８０…羽根、８８…空隙孔
【図１】
2020141466.tif 000003
【図２】
2020141466.tif 000004
【図３】
2020141466.tif 000005
【図４】
2020141466.tif 000006
【図５】
2020141466.tif 000007
【図６】
2020141466.tif 000008
【図７】
2020141466.tif 000009
【図８】
2020141466.tif 000010
【図９】
2020141466.tif 000011